(57)【要約】【課題】  テキストデータを音声データに変換し、他の音声データと一緒に一度の通信で外部の通信端末装置へ転送する。【解決手段】  留守番電話機能により電話機１０３からの留守番電話メッセージを留守録データ１２１として録音し、電子メール送受信部１１２が電子メールサーバ１０２から受信した電子メールを受信メールファイル１１４に蓄積し、その電子メール及び留守番電話メッセージを転送するかどうかを示す情報に基づき、録音した留守番電話メッセージと、受信した電子メールのテキストデータ１１５を音声合成部１１７により音声データに変換した音声データとを電話機１０３へ転送する。【選択図】      図１
2005080095.tif 000002
【特許請求の範囲】
【請求項１】
テキストデータを音声データに変換して転送する通信端末装置であって、
留守番電話機能により相手通信端末装置からの着信に応答し、留守番電話メッセージを録音する録音手段と、
通信回線を介して相手通信端末装置からの電子メールを受信する受信手段と、
前記受信手段で受信した電子メールのテキストデータを音声データに変換する変換手段と、
前記変換手段で変換した音声データと、前記録音手段で録音した留守番電話メッセージとを所定の通信端末装置へ転送する転送手段とを有し、
前記転送手段は、少なくとも電子メール及び留守番電話メッセージを転送するかどうかを示す情報に基づき、少なくとも前記音声データ及び前記留守番電話メッセージを所定の通信端末装置へ転送することを特徴とする通信端末装置。
【請求項２】
前記転送手段は、前記電子メール及び留守番電話メッセージが転送済みの場合、転送を行わないことを特徴とする請求項１に記載の通信端末装置。
【請求項３】
前記転送手段は、未読で未転送の電子メールと未再生で未転送の留守番電話メッセージとを転送することを特徴とする請求項１に記載の通信端末装置。
【請求項４】
前記転送手段は、前記電子メール及び留守番電話メッセージが転送禁止設定されている場合、転送を行わないことを特徴とする請求項１に記載の通信端末装置。
【請求項５】
前記転送手段は、更に前記留守番電話メッセージの件数と前記電子メールの受信件数とを、前記留守番電話メッセージと前記電子メールと共に転送することを特徴とする請求項１に記載の通信端末装置。
【請求項６】
更に、前記通信回線を介して外部の通信端末装置から送られてくるリモート命令を受信して解析する手段を有し、
前記転送手段は、前記リモート命令に応じて少なくとも前記音声データ及び前記留守番電話メッセージを所定の通信端末装置へ転送することを特徴とする請求項１に記載の通信端末装置。
【請求項７】
前記リモート命令を送信した外部の通信端末装置の認証を行うことを特徴とする請求項６に記載の通信端末装置。
【請求項８】
テキストデータを音声データに変換して転送する通信端末装置の転送方法であって、
留守番電話機能により相手通信端末装置からの着信に応答し、留守番電話メッセージを録音する録音工程と、
通信回線を介して相手通信端末装置からの電子メールを受信する受信工程と、
前記受信工程で受信した電子メールのテキストデータを音声データに変換する変換工程と、
前記変換工程で変換した音声データと、前記録音工程で録音した留守番電話メッセージとを所定の通信端末装置へ転送する転送工程とを有し、
前記転送工程は、少なくとも電子メール及び留守番電話メッセージを転送するかどうかを示す情報に基づき、少なくとも前記音声データ及び前記留守番電話メッセージを所定の通信端末装置へ転送することを特徴とする通信端末装置の転送方法。
【請求項９】
コンピュータを請求項１乃至請求項７の何れか一項に記載の通信端末装置の各手段として機能させるためのプログラム。
【請求項１０】
請求項９に記載のプログラムを記録したコンピュータ読み取り可能な記録媒体。
【発明の詳細な説明】
【技術分野】
【０００１】
本発明は、テキストデータを音声データに変換して転送する技術に関する。
【背景技術】
【０００２】
従来、留守番電話機能を有する電話機では、留守中に着信があると、その着信を録音し、外出先の携帯端末などに録音した内容を転送できる情報転送機能が備えられているものもある。また、近年、家庭用の固定電話の高機能化に伴い、音声通話やファクシミリ送受信の他に電子メールの送受信ができる端末の出現など固定電話で扱うことのできるデータの種類も増えてきている。
【０００３】
留守番電話サービスとメールサービスの両方を容易に利用可能とすることを目的とする従来技術としては、例えば特許文献１に記載のものがある。この特許文献１に記載のものは、電子メールを音声変換により音声データとしてメッセージボックスに保存する、又は音声録音を文書変換により電子メールとして送信することにより、音声メッセージと電子メールを自由にやり取りできるメール変換システムである。
【特許文献１】特開2001-331417号公報
【発明の開示】
【発明が解決しようとする課題】
【０００４】
しかしながら、上記従来技術では、留守番電話メッセージは音声データとして扱われ、また電子メールはテキストデータとして扱われていた。つまり、留守番電話メッセージを文書変換によりテキストデータに変換するか、電子メールを音声変換により音声データに変換するシステムはあったが、その２種類のデータを一度の通信で外出先の携帯端末等に転送することはできなかった。
【課題を解決するための手段】
【０００５】
本発明は、テキストデータを音声データに変換して転送する通信端末装置であって、留守番電話機能により相手通信端末装置からの着信に応答し、留守番電話メッセージを録音する録音手段と、通信回線を介して相手通信端末装置からの電子メールを受信する受信手段と、前記受信手段で受信した電子メールのテキストデータを音声データに変換する変換手段と、前記変換手段で変換した音声データと、前記録音手段で録音した留守番電話メッセージとを所定の通信端末装置へ転送する転送手段とを有し、前記転送手段は、少なくとも電子メール及び留守番電話メッセージを転送するかどうかを示す情報に基づき、少なくとも前記音声データ及び前記留守番電話メッセージを所定の通信端末装置へ転送することを特徴とする。
【０００６】
また、本発明は、テキストデータを音声データに変換して転送する通信端末装置の転送方法であって、留守番電話機能により相手通信端末装置からの着信に応答し、留守番電話メッセージを録音する録音工程と、通信回線を介して相手通信端末装置からの電子メールを受信する受信工程と、前記受信工程で受信した電子メールのテキストデータを音声データに変換する変換工程と、前記変換工程で変換した音声データと、前記録音工程で録音した留守番電話メッセージとを所定の通信端末装置へ転送する転送工程とを有し、前記転送工程は、少なくとも電子メール及び留守番電話メッセージを転送するかどうかを示す情報に基づき、少なくとも前記音声データ及び前記留守番電話メッセージを所定の通信端末装置へ転送することを特徴とする。
【発明の効果】
【０００７】
本発明の効果として、テキストデータを音声データに変換し、他の音声データと一緒に一度の通信で外部の通信端末装置へ転送することができる。
【発明を実施するための最良の形態】
【０００８】
以下、図面を参照しながら本発明を実施するための最良の形態について説明する。尚、本発明に係る通信端末装置として、留守番電話機能と電子メールの送受信機能とを有する電子メール端末を例に説明する。
【実施例１】
【０００９】
まず、実施例１における電子メール端末の構成について説明する。
【００１０】
図１は、実施例１における電子メール端末の概略構成を示すブロック図である。図１において、１０１は電子メール端末が接続されているＰＳＴＮ、ＩＳＤＮ、ＩＰ電話網などの通信回線である。１０２は電子メールサーバであり、通信回線１０１に接続され、電子メールを蓄積する。１０３は通信回線１０１に接続された電話機である。そして、１１０は実施例１における電子メール端末である。尚、電話機１０３は家庭用の固定電話以外に携帯電話やＰＤＡ（Personal Digital Assistants）等のモバイル機器でも良い。
【００１１】
電子メール端末１１０において、１１１は回線制御部であり、通信回線１０１との間の通信を制御するインタフェースである。１１２は電子メール送受信部であり、回線制御部１１１を通して電子メールサーバ１０２と電子メールを送受信する。１１３は電子メール管理部であり、受信した電子メールを後述する受信メールファイルとして保存し管理する。１１４は受信メールファイル、１１５はテキストデータ領域、１１６は音声合成辞書である。
【００１２】
１１７は音声合成部であり、テキストデータ領域１１５の電子メールを、音声合成辞書１１６を用いて音声データに変換する。１１８は音声出力部であり、音声合成部１１７で音声合成された音声データを出力する。１１９は転送制御部であり、データ転送のための転送設定情報１２０を管理し、データ転送が指示された場合に転送設定情報１２０の情報により、音声合成部１１７で作成された受信メールファイル１１４の音声データと、録音された留守録データ１２１とを転送させる。
【００１３】
尚、電子メール端末１１０には、電話機として機能する電話ユニットが備えられており、電話機１０３から着信があると、その着信に応答して通話を行うことができ、また留守番電話機能により自動応答し、相手からのメッセージを留守番電話メッセージとして録音し、留守録データ１２１に記録することができるものとする。この電話ユニットは公知のもので良く、その説明は省略する。
【００１４】
図２は、受信メールファイル１１４の詳細な構成を示す図である。図２に示すように、受信メールファイル１１４は、受信メールの状態を管理する受信メール管理部２００と、受信メールの実態を記憶する受信メール本体部２１０とから構成される。この受信メール管理部２００には、受信メールの差出人２０１、件名２０２、受信日時２０３、読まれたかどうかの状態２０４、転送されたかどうかの状態２０５などが、各受信メール毎に記録されており、ここから受信メール本体部２１０のメールデータ２１１、２１２、２１３にそれぞれ関連付けられている。そして、受信メール管理部２００の情報に基づき、装置内の未読メール件数、未転送メール件数を計算することが可能になっている。
【００１５】
図３は、留守録データ１２１の詳細な構成を示す図である。図３に示すように、留守録データ１２１は、留守録データの状態を管理する留守録管理部３００と、留守録データの実態を記録する留守録本体部３１０と、留守録件数部３２０とから構成される。この留守録管理部３００には、録音日時３０１、再生されたかどうかの状態３０２、転送されたかどうかの状態３０３などが、各留守録データ毎に記録されており、ここから留守録本体部３１０の留守録データ３１１、３１２、３１３にそれぞれ関連付けられている。そして、留守録件数部３２０は、留守録データが１件記録されると留守録件数を１件増加し、１件削除されると１件減少される。また、全件削除されると０件に書き換えられる。
【００１６】
図４は、転送設定情報１２０として設定される情報の詳細を示す図である。図４に示すように、転送設定情報１２０として、転送設定管理部４００と、転送禁止情報４１０と、転送先電話番号４２０とが設定される。まず、転送設定管理部４００には、留守録データ１２１を転送するかどうかを示す「留守録転送する／しない」４０１、再生済みの留守録データ１２１を転送するかどうかを示す「再生済み留守録転送する／しない」４０２、転送済みの留守録データ１２１を転送するかどうかを示す「転送済み留守録転送する／しない」４０３、受信メールを転送するかどうかを示す「受信メール転送する／しない」４０４、既読の受信メールを転送するかどうかを示す「既読メール転送する／しない」４０５、転送済みの受信メールを転送するかどうかを示す「転送済みメール転送する／しない」４０６、転送禁止に設定した受信メールを転送するかどうかを示す「転送禁止メール転送する／しない」４０７などの情報が設定される。
【００１７】
また、転送禁止情報４１０には、転送を禁止する受信メールの情報が設定されており、禁止設定は件名、差出人などの禁止項目４１１と、その内容である禁止条件４１２とからなる。
【００１８】
ここで、留守録データを転送するか或いは受信メールを転送するかの判定は、転送判定管理部４００に設定された情報と留守録管理部３００の状態と受信メール管理部２００の状態とに基づいて行われる。つまり、「留守録転送する／しない」４０１に留守録転送しないが設定されている場合、留守録データを転送しない。また「再生済み留守録転送する／しない」４０２に再生済み留守録転送しないがされている場合、再生されたかどうかの状態３０２をチェックし、再送されたことのある留守録データを転送しない。また「転送済み留守録転送する／しない」４０３に転送済み留守録転送しないが設定されている場合、転送されたかどうかの状態３０３をチェックし、転送されたことのある留守録データを転送しない。
【００１９】
同様に、「受信メール転送する／しない」４０４に受信メール転送しないが設定されている場合、受信メールを転送しない。また「既読メール転送する／しない」４０５に既読メール転送しないが設定されている場合、既に読まれたことのある受信メールを転送しない。また「転送済みメール転送する／しない」４０６に転送済みメール転送しないが設定されている場合、転送されたことのある受信メールを転送しない。また「転送禁止メール転送する／しない」４０７に転送禁止メール転送しないが設定されている場合、転送禁止情報４１０に該当する受信メールを転送しない。
【００２０】
このように、転送設定情報１２０により、転送する留守録データ及び受信メールを制限することで、不要な情報転送が発生しないという効果がある。
【００２１】
次に、電子メール端末１１０において受信した電子メールを音声データに音声変換して留守録データと共に転送先へ転送する処理について説明する。
【００２２】
図５は、実施例１における電子メールの転送処理を示すフローチャートである。まず、スタンバイ状態の電子メール端末１１０において、不図示の操作部よりユーザがメニューキーを押下すると、電子メール転送設定状態に遷移する。そして、設定を変更するキーが押下された場合（ステップＳ５０１のＹＥＳ）、転送制御部１１９が転送設定情報１２０を更新し（ステップＳ５０２）、スタンバイ状態に戻る。
【００２３】
このスタンバイ状態の電子メール端末１１０において、通信回線１０１を介して電話機１０３からの着信があったときに（ステップＳ５０３のＹＥＳ）、ユーザがその外線着信に応答した場合（ステップＳ５０４のＹＥＳ）、通話状態となる（ステップＳ５０５）。その後、通話が終了すると（ステップＳ５０６のＹＥＳ）、スタンバイ状態に戻る。また、通信回線１０１を介して電話機１０３からの着信があったときに（ステップＳ５０３のＹＥＳ）、ユーザがその外線着信に指定時間を経過しても応答しない場合は（ステップＳ５０４のＮＯ）、留守番電話機能により自動応答する。この場合、相手電話機１０３からのメッセージが留守番電話メッセージとして録音され、留守録データ１２１に記録される（ステップＳ５０７）。
【００２４】
一方、スタンバイ状態の電子メール端末１１０において、電子メール送受信部１１２が電子メールサーバ１０２に電子メールが着信されているかチェックし、着信されていれば（ステップＳ５０８のＹＥＳ）、電子メールサーバ１０２から電子メールを受信し、電子メール管理部１１３がその電子メールを受信メールファイル１１４に保存する（ステップＳ５０９）。そして、受信した電子メールが転送設定情報１２０により電子メールを転送しない条件に該当する場合は（ステップＳ５１０のＮＯ）、スタンバイ状態に戻る。尚、電子メールを転送しない条件とは、「受信メール転送する／しない」４０４が受信メール転送しないに設定されているか、「転送禁止メール転送する／しない」４０７に転送禁止メール転送しないに設定され、かつ、転送禁止情報４１０に合致する電子メールの場合である。
【００２５】
次に、留守番電話機能により新規メッセージが録音され（ステップＳ５０７）、或いは転送可能な新規電子メールが受信されたときに（ステップＳ５１０のＹＥＳ）、転送設定情報１２０で転送をしない条件に該当する場合（ステップＳ５１１のＮＯ）、スタンバイ状態に戻る。また、留守番電話機能により新規メッセージが録音され（ステップＳ５０７）、或いは転送可能な新規電子メールが受信されたときに（ステップＳ５１０のＹＥＳ）、転送設定情報１２０で転送をする条件に該当する場合（ステップＳ５１１のＹＥＳ）、転送を行うために転送設定情報１２０に設定されている転送先の電話機１０３に回線制御部１１１から外線発信を行う（ステップＳ５１２）。そして、転送先の電話機１０３から応答が無い場合は（ステップＳ５１３のＮＯ）、スタンバイ状態に戻る。
【００２６】
また、転送を行うために外線発信を行い（ステップＳ５１２）、転送先の電話機１０３が応答した場合（ステップＳ５１３のＹＥＳ）、転送処理を行う。この転送処理としては、まず受信メール件数と留守録件数の通知を行う（ステップＳ５１４）。この受信メール件数は受信メール管理部２００により算出し、また留守録件数は留守録件数３２０の値を用いる。
【００２７】
次に、留守録データ１２１と転送設定情報１２０とから転送する留守番電話メッセージがある場合は（ステップＳ５１５のＹＥＳ）、留守録データ１２１の留守録本体部３１０に記録された留守録データを再生し、通信回線１０１を介して転送する。そして、転送した留守録データの状態３０２が未再生の場合は再生済みに、また３０３が未転送の場合は転送済みに状態を変更する（ステップＳ５１６）。
【００２８】
また、受信メールファイル１１４に格納された電子メールが、それぞれ転送するメールかどうかを転送設定情報１２０に従って判断する。ここで、転送するメールが存在しない場合は（ステップＳ５１７のＮＯ）、回線制御部１１１が接続回線を切断し（ステップＳ５２２）、スタンバイ状態に戻る。
【００２９】
また、転送する電子メールが存在すると判断された場合は（ステップＳ５１７のＹＥＳ）、受信メールファイル１１４から該当する電子メールを読み出し、音声合成部１１７がテキストデータ領域１１５にコピーする（ステップＳ５１８）。そして、音声合成部１１７は音声合成辞書１１６を用いてテキストデータ領域１１５の電子メールを音声データに変換し（ステップＳ５１９）、音声出力部１１８が変換された音声データを再生し、通信回線１０１を介して転送する（ステップＳ５２０）。ここで、転送した受信メールの状態２０５が未転送の場合は転送済みに状態を変更する。
【００３０】
このようにテキストデータ領域１１５を音声データに変換しながら転送を行い、全てのテキストデータ領域１１５の電子メールを転送した場合は（ステップＳ５２１のＹＥＳ）、更に受信メールファイル１１４から該当する電子メールが存在するか引き続き検索する（ステップＳ５１７）。ここで、該当する電子メールを全て転送した場合は（ステップＳ５１７のＮＯ）、接続回線を切断し（ステップＳ５２２）、スタンバイ状態に戻る。
【００３１】
ここで、留守番電話メッセージと電子メールの転送順序は逆であっても構わない。また着信日時順などにより両方を混ぜてソートして転送しても構わない。
【００３２】
実施例１によれば、自宅などの留守番電話に留守番電話メッセージが録音された場合においても、新しい電子メールが受信された場合においても、留守番電話メッセージと電子メールという２種類のデータを音声合成を用いて音声データという１種類のデータとして扱い、一度の通話で外出先の携帯端末等に転送することができるという効果がある。
【００３３】
また、一度再生或いは転送された留守番電話メッセージや一度表示させた電子メールは転送しないことで、通話回数、通話時間を削減するという効果がある。
【００３４】
更に、転送したくない電子メールの条件を登録しておき、登録された条件の電子メールを転送しないことで、通話回数、通話時間を削減するという効果がある。
【００３５】
また、留守番電話メッセージや電子メールの件数を留守番電話メッセージと電子メールと共に転送することで、転送するデータの情報を把握しやすくなるという効果がある。
【実施例２】
【００３６】
次に、図面を参照しながら本発明に係る実施例２について詳細に説明する。尚、実施例２における電子メール端末の構成は実施例１で説明した構成と同様であり、ここでの説明は省略する。
【００３７】
図６は、実施例２における電子メールの転送処理を示すフローチャートである。まず、スタンバイ状態の電子メール端末１１０において、不図示の操作部よりユーザがメニューキーを押下すると、電子メール転送設定状態に遷移する。そして、設定を変更するキーが押下された場合（ステップＳ６０１のＹＥＳ）、転送制御部１１９が転送設定情報１２０を更新し（ステップＳ６０２）、スタンバイ状態に戻る。
【００３８】
このスタンバイ状態の電子メール端末１１０において、通信回線１０１を介して電話機１０３からの着信があったときに（ステップＳ６０３のＹＥＳ）、回線制御部１１１にて通話相手１０３からリモート命令があるかどうかをチェックする（ステップＳ６０４）。ここで、通話相手１０３からリモート命令を受信しなかった場合は（ステップＳ６０５のＮＯ）、通話状態になる（ステップＳ６０６）。その後、通話が終了すると（ステップＳ６０７）、スタンバイ状態に戻る。尚、このリモート命令は、音声やＰＢ信号などにより予め決められたものであれば良い。
【００３９】
また、回線制御部１１１を介して通話相手１０３からリモート命令を受信し、その内容が留守録転送命令だった場合（ステップＳ６０５のＹＥＳ）、更にパスワードによる認証チェックを行う（ステップＳ６０８）。ここで、入力されたパスワードが予め登録されているパスワードと違っていた場合（ステップＳ６０９のＮＯ）、回線を切断し（ステップＳ６１０）、スタンバイ状態に戻るが、パスワードが正しい場合には（ステップＳ６０９のＹＥＳ）、転送処理を行う。この転送処理としては、まず受信メール件数と留守録件数の通知を行う（ステップＳ６１１）。ここで受信メール件数は受信メール管理部２００により算出し、また留守録件数は留守録件数３２０の値が用いられる。
【００４０】
次に、留守録データ１２１と転送設定情報１２０とから転送する留守番電話メッセージがある場合は（ステップＳ６１２のＹＥＳ）、留守録データ１２１の留守録本体部３１０に記録された留守録データを再生し、通信回線１０１を介して転送する。そして、転送した留守録データの状態３０２が未再生の場合は再生済みに、また３０３が未転送の場合は転送済みに状態を変更する（ステップＳ６１３）。
【００４１】
また、受信メールファイル１１４に格納された電子メールが、それぞれ転送するメールかどうかを転送設定情報１２０に従って判断する。ここで、転送するメールが存在しない場合は（ステップＳ６１４のＮＯ）、回線制御部１１１が接続回線を切断し（ステップＳ６１９）、スタンバイ状態に戻る。
【００４２】
また、転送する電子メールが存在すると判断された場合は（ステップＳ６１４のＹＥＳ）、受信メールファイル１１４から該当する電子メールを読み出し、音声合成部１１７がテキストデータ領域１１５にコピーする（ステップＳ６１５）。そして、音声合成部１１７は音声合成辞書１１６を用いてテキストデータ領域１１５の電子メールを音声データに変換し（ステップＳ６１６）、音声出力部１１８が変換された音声データを再生し、通信回線１０１を介して転送する（ステップＳ６１７）。ここで、転送した受信メールの状態２０５が未転送の場合は転送済みに状態を変更する。
【００４３】
このようにテキストデータ領域１１５を音声データに変換しながら転送を行い、全てのテキストデータ領域１１５の電子メールを転送した場合は（ステップＳ６１８のＹＥＳ）、更に受信メールファイル１１４から該当する電子メールが存在するか引き続き検索する（ステップＳ６１４）。ここで、該当する電子メールを全て転送した場合は（ステップＳ６１４のＮＯ）、接続回線を切断し（ステップＳ６１９）、スタンバイ状態に戻る。
【００４４】
ここで、留守番電話メッセージと電子メールの転送順序は逆であっても構わない。また着信日時順などにより両方を混ぜてソートして転送しても構わない。
【００４５】
実施例２によれば、外出先の携帯端末等から自宅などの端末に記録されたデータを確認する際、留守番電話メッセージと電子メールという２種類のデータを、音声合成を用いて音声データという１種類のデータとして入手することができるという効果がある。
【００４６】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００４７】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００４８】
この場合、記録媒体から読出されたプログラムコード自体が前述した実施形態の機能を実現することになり、そのプログラムコードを記憶した記録媒体は本発明を構成することになる。
【００４９】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５０】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００５１】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【産業上の利用可能性】
【００５２】
本発明は、家庭用の固定電話やインターネット電話などに適用できる。
【図面の簡単な説明】
【００５３】
【図１】実施例１における電子メール端末の概略構成を示すブロック図である。
【図２】受信メールファイル１１４の詳細な構成を示す図である。
【図３】留守録データ１２１の詳細な構成を示す図である。
【図４】転送設定情報１２０として設定される情報の詳細を示す図である。
【図５Ａ】実施例１における電子メールの転送処理を示すフローチャートである。
【図５Ｂ】実施例１における電子メールの転送処理を示すフローチャートである。
【図６Ａ】実施例２における電子メールの転送処理を示すフローチャートである。
【図６Ｂ】実施例２における電子メールの転送処理を示すフローチャートである。
【符号の説明】
【００５４】
１０１  通信回線
１０２  電子メールサーバ
１０３  電話機
１１０  電子メール端末
１１１  回線制御部
１１２  電子メール送受信部
１１３  電子メール管理部
１１４  受信メールファイル
１１５  テキストデータ領域
１１６  音声合成辞書
１１７  音声合成部
１１８  音声出力部
１１９  転送制御部
１２０  転送設定情報
１２１  留守録データ
【図１】
2005080095.tif 000003
【図２】
2005080095.tif 000004
【図３】
2005080095.tif 000005
【図４】
2005080095.tif 000006
【図５Ａ】
2005080095.tif 000007
【図５Ｂ】
2005080095.tif 000008
【図６Ａ】
2005080095.tif 000009
【図６Ｂ】
2005080095.tif 000010